(57)【要約】 構造が改良された上密封部を有する二次バッテリー  カソード／セパレータ／アノード構造を有する電極アセンブリーを小袋形バッテリーケース中に取り付け、前記電極アセンブリーをバッテリーケースに熱的に溶接することにより製造される二次バッテリーであって、一対の絶縁性フィルムを、各電極リード線の、前記電極アセンブリーの電極タップが電気的に接続されている対向する主要表面に、前記小袋形バッテリーケースの上側の熱的に溶接された部分(上側密封部分)と接触する区域で取り付け、前記絶縁性フィルム(a)及び(b)の一方、即ち前記絶縁性フィルム(a)、が、前記絶縁性フィルム(a)の下側末端が、前記電極タップが前記電極リード線に連結されている連結区域を支持するように伸びており、前記絶縁性フィルム(a、b)間の重なり合っている長さ(Ｌ)が、前記上側密封部分の高さ(Ｈ)と等しいか、またはそれより僅かに大きい、二次バッテリーを開示する。本発明の二次バッテリーには、外部の力、例えば小さな振動及び落下、が二次バッテリーに加えられた時に、電極アセンブリーの移動による電極リード線の破断を阻止することができ、好ましくは、PCMを二次バッテリーに取り付けられるように電極リード線を容易に曲げることができるという効果がある。
2009545850.tif 000002
【特許請求の範囲】
【請求項１】
カソード／セパレータ／アノード構造を有する電極アセンブリーを小袋形バッテリーケース中に取り付け、前記電極アセンブリーをバッテリーケースに熱的に溶接することにより製造される二次バッテリーであって、
前記小袋形バッテリーケースの上側に熱的に溶接された部分(上側密封部分)と接触する区域において、前記電極アセンブリーの電極タップが電気的に接続されている各電極リード線の対向する主要表面に、一対の絶縁性フィルムを取り付けてなり、
前記一対の絶縁性フィルム(ａ、ｂ)の中の前記絶縁性フィルム(ａ)が伸びて、前記絶縁性フィルム(ａ)の下側末端が、前記電極タップが前記電極リード線に連結されている連結区域を支持し、及び
前記一対の絶縁性フィルム(ａ、ｂ)間の重なり合っている長さ(Ｌ)が、前記上側密封部分の高さ(Ｈ)と等しいか、またはそれより僅かに大きいものである、二次バッテリー。
【請求項２】
前記電極アセンブリーが、積重または積重／折り曲げ型構造に構築されてなる、請求項１に記載の二次バッテリー。
【請求項３】
前記バッテリーケースが、金属層及び樹脂層を包含するラミネートシートから製造された小袋形構造に構築されてなる、請求項１に記載の二次バッテリー。
【請求項４】
前記上側密封部分の高さ(Ｈ)が2〜2.5 mmである、請求項１に記載の二次バッテリー。
【請求項５】
保護回路モジュール(PCM)が、前記バッテリーケースの前記上側密封部分から突き出た前記電極リード線の外側末端に電気的に接続されてなり、
前記PCMを前記電極リード線に接続する際に、前記電極リード線を前記上側密封部分に向けて曲げてなり、前記PCMが前記上側密封部分に取り付けられてなる、請求項１に記載の二次バッテリー。
【請求項６】
前記電極リード線が曲げられる区域(曲げ区域)が、前記上側密封部分の上に位置する区域である、請求項５に記載の二次バッテリー。
【請求項７】
前記一対の絶縁性フィルム(ａ、ｂ)の一方〔絶縁性フィルム(ａ)または絶縁性フィルム(ｂ)〕のみが、非対称的な様式で、前記曲げ区域に対応する前記上側密封部分の上に位置する区域に取り付けられてなる、請求項６に記載の二次バッテリー。
【請求項８】
前記上側密封部分の上に位置する前記区域において、前記電極リード線の曲げが、前記絶縁性フィルムが取り付けられている前記上側密封部分に向けて行われてなる、請求項７に記載の二次バッテリー。
【請求項９】
前記一対の絶縁性フィルム(ａ、ｂ)の少なくとも一方が、前記絶縁性フィルムの中に形成された複数の通し穴を有する、請求項１に記載の二次バッテリー。
【請求項１０】
前記電極リード線を曲げて前記PCMを取り付ける時に、前記曲げ区域に対応する前記上側密封部分の上に位置する前記区域において、前記通し穴が前記絶縁性フィルム中に形成されてなる、請求項９に記載の二次バッテリー。
【請求項１１】
前記曲げ区域に対応する前記位置で形成された複数の通し穴を有する、少なくとも一方の絶縁性フィルム(ａまたはｂ)が、前記電極リード線に取り付けられてなる、請求項１０に記載の二次バッテリー。
【発明の詳細な説明】
【技術分野】
【０００１】
本発明は、構造的に改良された上側密封部分を包含する小袋形二次バッテリーに関し、より詳しくは、カソード／セパレータ／アノード構造を有する電極アセンブリーを小袋形バッテリーケース中に取り付け、該電極アセンブリーをバッテリーケースに熱的に溶接することにより製造される二次バッテリーであって、一対の絶縁性フィルムを、各電極リード線の、該電極アセンブリーの電極タップが電気的に接続されている対向する主要表面に、該小袋形バッテリーケースの上側の熱的に溶接された部分(上側密封部分)と接触する区域で取り付け、該絶縁性フィルムａ及びｂの一方、即ち該絶縁性フィルムａ、が、該絶縁性フィルムａの下側末端が、該電極タップが該電極リード線に連結されている連結区域を支持するように伸びており、該絶縁性フィルムａとｂの間の重なり合っている長さＬが、該上側密封部分の高さＨと等しいか、またはそれより僅かに大きい、二次バッテリーに関する。
【背景技術】
【０００２】
可動装置が益々多く開発され、そのような可動装置の需要が増加するにつれて、それらの可動装置用のエネルギー源としてバッテリーの需要も急速に増加している。従って、様々な要求を満足するバッテリーに多くの研究がなされている。
【０００３】
バッテリーの形状に関して、携帯電話のような製品に応用するのに十分に薄いプリズム形二次バッテリーまたは小袋形二次バッテリーの需要が非常に高い。バッテリー用の材料に関しては、高エネルギー密度、高放電電圧、及び高出力安定性を有するリチウム二次バッテリー、例えばリチウムイオンバッテリー及びリチウムイオン重合体バッテリー、の需要が非常に高い。
【０００４】
図1は、典型的な従来の小袋形二次バッテリーの一般的な構造を示す分解組立図である。
【０００５】
図１に関して、小袋形二次バッテリー10は、電極アセンブリー30、電極アセンブリー30から伸びる複数の電極タップ40及び50、電極タップ40及び50にそれぞれ溶接された電極リード線60及び70、及び電極アセンブリー30を受け容れるためのバッテリーケース20を包含する。
【０００６】
電極アセンブリー30は、連続的に積み重ねたカソード及びアノードを備えてなる発電素子であり、それぞれのカソードとアノードの間にセパレータが配置されている。特に、電極アセンブリー30は、電極リード線60及び70が、カソード及びアノードからそれぞれ伸びている電極タップ40及び50に、例えば溶接により電気的に接続されている構造に構築される。電極アセンブリー30は、電極リード線60及び70がバッテリーケース20の外側に部分的に露出した状態で、バッテリーケース20の中に取り付けられている。電極リード線60及び70の上側及び下側表面には、バッテリーケース20と電極リード線60及び70との間の密封性を改良し、同時に、バッテリーケース20と電極リード線60及び70との間の電気的絶縁性を確保するための絶縁性フィルム80が部分的に取り付けられている。
【０００７】
図2は、図1に示す二次バッテリーのバッテリーケースの上側末端を例示する断面拡大図であり、そこでは、カソードタップが互いに集中する状態で連結され、二次バッテリーを組み立てた後、カソードリード線に接続されている。説明の都合上、カソードリード線だけを図2に示す。カソードリード線の構造は、アノードリード線と等しい。
【０００８】
図2に関して、電極アセンブリー30のカソード集電装置(図には示していない)から伸びる複数のカソードタップ40が、例えば溶接により、互いに連結され、カソードリード線60の一端に接続されている。カソードリード線60の、カソードタップ40と反対側にある他端61が、バッテリーケース20の外側に露出している状態で、カソードリード線60は、絶縁性フィルム80と共に、バッテリーケース20の上側密封部分21に熱的に溶接されている。カソードリード線60に取り付けた2枚の絶縁性フィルム80は、カソードリード線60の対向する主要表面で、互いに重なり合っており、絶縁性フィルム80同士は同じ長さを有している。その結果、絶縁性フィルム80の上側末端81及び下側末端82は、構造的に互いに一致している。一般的に、絶縁性フィルムとしては、厚さ約80〜100□のPPまたはPEを使用する。熱溶接方法を行うと、絶縁性フィルムは、バッテリーケース20に、バッテリーケース20の上側密封部分21で一体的に固定される。
【０００９】
様々な理由、例えばバッテリーに作用する小さな振動またはバッテリーの落下、により、電極アセンブリー30(図1参照)がバッテリーケース中で頻繁に移動する場合、カソードタップ40の前端に対応する、カソードリード線60の下側末端における、複数のカソードタップ40が取り付けられている、カソードリード線60の区域Ａが破損することがある。特に、カソードリード線60の、絶縁性フィルム80が取り付けられている区域は、外部の力から保護されているが、カソードリード線60の区域Ａには応力が集中し、外部の力により変形することが多い。
【００１０】
さらに、絶縁性フィルム80は、バッテリーケース20の上側密封部分21から外側に部分的に突き出ており、絶縁性フィルム80は、カソードリード線60の対向する主要表面に、突き出た区域Ｂで、対称的な様式で取り付けてある。その結果、バッテリーケース20の上側密封部分21を折り曲げて二次バッテリー10(図1参照)の全長を短縮するか、または素子、例えば保護回路モジュール(図には示していない)、を取り付ける場合、カソードリード線60の対向する主要表面に取り付けた絶縁性フィルム80のために、カソードリード線60の区域Ｂを折り曲げるのは困難である。
【００１１】
これに関して、公開日本国特許出願第2003-257387号明細書は、カソード／セパレータ／アノードが配置された電極アセンブリーがバッテリーケース中に取り付けられており、電極アセンブリーから突き出た複数の電極タップが、電極リード線に接続され、各電極リード線の対向する主要表面に取り付けた絶縁性フィルムの少なくとも一方が、電極タップが曲げられる屈曲区域に伸びており、電極タップの、電極アセンブリーの電極に対する短絡を防止する構造に構築された二次バッテリーを開示している。また、公開日本国特許出願第1999-260414号明細書は、熱溶接可能な重合体フィルムが、バッテリーケースから外側に突き出た電極集電装置の表面に形成され、該重合体フィルムがバッテリーケースに熱溶接され、バッテリーケースの内側表面が、熱溶接可能な重合体フィルムから製造され、それによって、バッテリーケースの密封性を改良する構造に構築された二次バッテリーを開示している。
【００１２】
しかし、上記の技術は、絶縁性フィルムの下側界面における電極リード線の破断を防止するか、または絶縁性フィルムの上側の突き出た区域における電極リード線を曲げる困難さを解決する構造は示唆していない。
【００１３】
従って、バッテリーケースの上側密封部分に熱溶接された絶縁性フィルムの構造を改良することにより、外部の力、例えば小さな振動及び落下、がバッテリーに加えられた時に、電極アセンブリーの移動による電極リード線の破断を阻止し、好ましくは、PCMがバッテリーに取り付けられるように電極リード線を容易に曲げられる技術が強く求められている。
【発明の開示】
【技術的問題】
【００１４】
従って、本発明は、上記の問題および他の未解決の技術的問題を解決するためになされたものである。
【００１５】
本発明の目的は、外部の力、例えば小さな振動及び落下、が二次バッテリーに加えられた時に、電極アセンブリーの移動による電極リード線の破断を阻止することができる二次バッテリーを提供することである。
【００１６】
本発明の別の目的は、保護回路モジュール(PCM)を二次バッテリーに取り付けられるように電極リード線を容易に曲げることができる二次バッテリーを提供することである。
【技術的解決策】
【００１７】
本発明の一態様で、上記の、及び他の目的は、カソード／セパレータ／アノード構造を有する電極アセンブリーを小袋形バッテリーケース中に取り付け、該電極アセンブリーをバッテリーケースに熱的に溶接することにより製造される二次バッテリーであって、一対の絶縁性フィルムを、各電極リード線の、該電極アセンブリーの電極タップが電気的に接続されている対向する主要表面に、該小袋形バッテリーケースの上側の熱的に溶接された部分(上側密封部分)と接触する区域で取り付け、該絶縁性フィルムａ及びｂの一方、即ち該絶縁性フィルムａ、が、該絶縁性フィルムａの下側末端が、該電極タップが該電極リード線に連結されている連結区域を支持するように伸びており、該絶縁性フィルムａとｂの間の重なり合っている長さＬが、該上側密封部分の高さＨと等しいか、またはそれより僅かに大きい、二次バッテリーを提供することにより、達成することができる。
【００１８】
従って、本発明の二次バッテリーでは、絶縁性フィルムａ及びｂの一方、即ち絶縁性フィルムａ、が、バッテリーケース中で電極タップに向かって伸び、電極タップが電極リード線に連結されている連結区域を支持し、それによって、電極アセンブリーの頻繁な移動により応力が集中した時に、電極リード線の破断を阻止する。また、電極アセンブリーの外側で絶縁性フィルムａとｂの間の重なり合っている長さＬが、最少に抑えられ、それによって、保護回路モジュール(PCM)を電極リード線に取り付けられるように、電極リード線を容易に曲げることができる。
【００１９】
複数の電極タップが互いに接続され、カソード及びアノードを構成する構造に、電極アセンブリーが構築される限り、電極アセンブリーには特に制限は無い。好ましくは、電極アセンブリーは、積重または積重／折り曲げ型構造に構築する。積重／折り曲げ型電極アセンブリーは、本発明が関与するこの分野で良く知られており、従って、積重／折り曲げ型電極アセンブリーの詳細な説明は行わない。
【００２０】
バッテリーケースは、ラミネートシート、特に金属層及び樹脂層を包含するアルミニウムラミネートシート、から製造された小袋形構造に構築する。このバッテリーケースは、好ましくは小袋形バッテリーに使用する。
【００２１】
絶縁性フィルムａとｂの間の重なり合っている長さＬは、バッテリーケースの上側密封部分の高さＨに応じて変えることができる。バッテリーケースの上側密封部分の高さＨは、バッテリーの形状に応じて変えることができる。従って、絶縁性フィルムａとｂの間の重なり合っている長さＬ及びバッテリーケースの上側密封部分の高さＨに、特に制限は無い。好ましくは、密封部分は、バッテリーケースの上側末端で高さ2〜2.5 mmに形成する。その結果、絶縁性フィルム間の重なり合っている長さは、2〜2.5 mmまたは上側密封部分の高さより大きくてよい。ここで、バッテリーケースの密封に熱溶接工程を、バッテリーケースの上側密封部分全体に、または部分的に行うことができる。従って、上側密封部分は、必ずしも熱溶接工程を行わなければならない区域ではない。
【００２２】
好ましい実施態様では、二次バッテリーを、保護回路モジュール(PCM)が、バッテリーケースの上側密封部分から突き出た電極リード線の外側末端に電気的に接続される構造に構築し、PCMが上側密封部分に取り付けられるように、PCMを電極リード線に接続した状態で、電極リード線を上側密封部分に向けて曲げる。この場合、小袋形二次バッテリーの、バッテリーケースの上側密封部分による空の空間が最大限に活用され、従って、二次バッテリーの体積が最少に抑えられる。
【００２３】
上記の構造では、曲げ区域は、上側密封部分の上に位置する区域でよい。ここで、上側密封部分の上に位置する区域は、電極リード線の、PCMが取り付けられる突出部が上側密封部分の上に位置するように、曲げ工程が行われる区域である。この区域は、上側密封部分の末端に伸びる電極リード線の全長または上側密封部分から突き出た電極リード線の一部でよい。特に、この区域は、電極リード線の、電極リード線の突出部における、上側密封部分の末端に隣接する部分でよい。
【００２４】
好ましくは、絶縁性フィルムａ及びｂの一方のみ、即ち絶縁性フィルムａまたは絶縁性フィルムｂ、が、上側密封部分の上に位置する、曲げ区域に対応する区域に、非対称的な様式で取り付けられる。特に、絶縁性フィルムの一方は、突き出た電極リード線の一方の主要表面に取り付け、PCMを、電極リード線の他方の主要表面に取り付ける。従って、PCMが上側密封部分に取り付けられるように電極リード線を曲げる時、本発明では電極リード線の一方の主要表面にだけ絶縁性フィルムが取り付けられるので、この曲げ工程は、従来技術による、電極リード線の対向する主要表面に絶縁性フィルムを取り付けた電極リード線の曲げよりも、容易に行われる。この場合、電極リード線の、上側密封部分の上に位置する区域における曲げは、絶縁性フィルムが取り付けられている上側密封部分に向けて行うのが好ましい。
【００２５】
場合により、二次バッテリーは、バッテリーケースの上側密封部分から突き出た電極リード線の他端を上側密封部分に向けて曲げ、PCMが上側密封部分に取り付けられるように、PCMを電極リード線に接続することにより、構築することができる。
【００２６】
好ましい実施態様では、絶縁性フィルムａ及びｂの少なくとも一方が、その中に形成された複数の通し穴を有し、それによって、電極リード線を曲げる時の抵抗を小さくする。バッテリーケースの熱溶接を行う際、絶縁性フィルムは融解し、通し穴は溶融した絶縁性フィルムで充填され、絶縁性フィルムは通し穴中で固化する。その結果、通し穴は、熱溶接された区域で、絶縁性フィルムで目詰まりし、従って、通し穴は絶縁性フィルムの本来の機能を損なわない。
【００２７】
好ましくは、上側密封部分の上に位置する、曲げ区域に対応する区域に位置する絶縁性フィルム中に通し穴を形成する。例えば、曲げ区域に対応する位置で形成された複数の通し穴を有する、少なくとも一方の絶縁性フィルムａまたはｂを電極リード線に取り付けることができる。
【００２８】
本発明の上記の、及び他の目的、特徴及び利点は、添付の図面を参照しながら記載する下記の詳細な説明により、より深く理解される。
【発明の様式】
【００２９】
ここで、添付の図面を参照しながら、本発明の好ましい実施態様を詳細に説明する。しかし、本発明の範囲は、例示する実施態様に限定されるものではない。
【００３０】
図3は、本発明の好ましい実施態様による二次バッテリーの、バッテリーケースの上側密封部分を示す、部分的に拡大した垂直立面図である。図3の小袋形バッテリーは、一般的に使用されている従来の小袋形バッテリーに非常に類似しており、従って、本発明による二次バッテリーの説明は、本発明の特徴的な項目以外は行わない。説明の都合上、上側密封部分は簡単に「密封部分」と呼ぶ。
【００３１】
図3に関して、第一絶縁性フィルム400及び第二絶縁性フィルム500を電極リード線300の対向する主要表面に取り付け、バッテリーケース200の上側密封部分210におけるアルミニウムラミネートシートと電極リード線300との間の密封性を増加し、バッテリーケース200の上側密封部分210におけるアルミニウムラミネートシートと電極リード線300との間の電気的絶縁性を確保する。
【００３２】
第一絶縁性フィルム400は、電極リード線300の一方の主要表面に、第一絶縁性フィルム400の上側末端410が密封部分210の上側末端にほぼ対応する位置に配置されるように、取り付ける。第一絶縁性フィルム400の下側末端420は、電極タップが電極リード線に連結する連結区域Ａで、第一絶縁性フィルム400の下側末端420が電極リード線300の、電極タップ600の前端610に対応する下側末端を覆うように、電極タップ600に伸びている。
【００３３】
前に述べたように、連結区域Ａは、外部の力がバッテリーに作用した時の電極リード線300の頻繁な変形により、電極リード線300の破損が起こり易い区域である。しかし、第一絶縁性フィルム400が電極リード線300を覆うように、第一絶縁性フィルム400が電極リード線300の一方の主要表面に取り付けてあるので、電極リード線300の破損が阻止される。
【００３４】
他方、第二絶縁性フィルム500は、第二絶縁性フィルム500の上側末端510が密封部分210から電極リード線300の突出部310に向けて予め決められた高さに伸びるように、電極リード線300の他方の主要表面に取り付けられている。第二絶縁性フィルム500の下側末端520は、密封部分210の下側末端にほぼ対応する位置に配置されている。
【００３５】
この構造は、絶縁性フィルムを取り付けた電極リード線を平面図及び垂直断面図で示す図4から容易に確認できる。
【００３６】
図4に関して、第一絶縁性フィルム400及び第二絶縁性フィルム500は、電極リード線300の対向する主要表面に、非対称的構造で取り付けてあり、第一絶縁性フィルム400及び第二絶縁性フィルム500の上側末端410及び510はそれらの位置で互いに一致せず、第一絶縁性フィルム400及び第二絶縁性フィルム500の下側末端420及び520もそれらの位置で互いに一致していない。第一絶縁性フィルム400及び第二絶縁性フィルム500は、バッテリーケース200の密封部分210(図3参照)でのみ互いに重なり合っている。特に、第一絶縁性フィルム400と第二絶縁性フィルム500の間の重なり合っている長さＬは、密封部分210の高さにほぼ等しい。この構造の変形では、図5に示すように、第一絶縁性フィルム401及び第二絶縁性フィルム501は、異なった長さを有し、電極リード線300の対向する主要表面に取り付けられ、第一絶縁性フィルム400及び第二絶縁性フィルム500の非対称的構造を維持し、第一絶縁性フィルム400と第二絶縁性フィルム500の間の重なり合っている長さＬを確保している。
【００３７】
図6及び7は、図3に示す二次バッテリーのバッテリーケースの、保護回路モジュール(PCM)を二次バッテリーに取り付けた状態にある、上側密封部分を示す垂直断面図である。
【００３８】
これらの図面に関して、PCM 700を電極リード線300の突出部310に電気的に接続し、PCM 700が密封部分210の上に位置するように、電極リード線300を矢印で示す方向に曲げることにより、二次バッテリーを構築する。この時、第二絶縁性フィルム500だけが電極リード線300の曲げ区域Ｂに取り付けてあるので、電極リード線300の曲げは、図2よりも容易に行うことができる。
【００３９】
さらに、図2の構造で、絶縁性フィルム80は、電極リード線60の対向する主要表面に対称的な様式で取り付けてあるので、電極リード線60の曲げ部分は、実質的に絶縁性フィルム80の上側末端81の周りで行う。他方、図3の構造では、電極リード線300は、第一絶縁性フィルム400の上側末端410の周りで曲げることができ、電極リード線300の曲げ区域Ｂも第二絶縁性フィルム500により支持され、それによって、応力の集中が低減され、曲げ安定性が増加する。
【００４０】
以下、本発明の例をより詳細に説明する。しかし、本発明の範囲は、ここに記載する例により制限されるものではない。
【００４１】
[例1]
電極アセンブリーの電極タップを、電極リード線に溶接により接続し、絶縁性フィルム(ポリプロピレン製)を各電極リード線の対向する主要表面に、図4に示すように、非対称的構造に取り付け、電極アセンブリーをバッテリーケース中に取り付け、電極アセンブリーを電解質で含浸させ、バッテリーケースを密封してバッテリーを製造した。
【００４２】
[比較例1]
絶縁性フィルムを各電極リード線の対向する主要表面に、図2に示すように、対称的構造に取り付けた以外は、例1と同じ方法でバッテリーを製造した。
【００４３】
[実験例1]
例1及び比較例1によりそれぞれ製造したバッテリーを含む携帯電話に対して小振動実験を行った。これらの実験では、小振動を各10個の携帯電話に12,000サイクルまで一定して作用させ、バッテリーの電圧を検査した。電圧を検出したバッテリーの数を下記の表1に示す。小振動実験は、十分に充電したバッテリーを取り付けた携帯電話を八角形プリズムの形状で形成したドラムの中に配置し、このドラムを280 rpmで回転させた。
【００４４】
＜表1＞

サイクル      ０         6,000       9,000       12,000  
例1           10/10      10/10       10/10       10/10   
比較例1       10/10      8/10        7/10        6/10    
【００４５】
上記の表1から分かるように、例1により製造した全てのバッテリーでは、小振動実験でサイクル数が12,000でも電圧が検出されたのに対し、比較例1により製造したバッテリーの4個における電圧は検出されなかった。例1により製造したバッテリーでは、電極タップが電極リード線に連結している連結区域は絶縁性フィルムにより支持されており、それによって、バッテリーに加えた小振動のために電極アセンブリーが移動した時に、電極リード線の破損が阻止された。他方、比較例1により製造したバッテリーでは、電極タップが電極リード線に連結している連結区域に集中した応力により、電極リード線の破損が起きた。
【００４６】
[実験例2]
PCMを取り付ける目的で電極リード線を図7に示すように曲げた時の曲げ安定性を確認するために、曲げ実験を、ASTMD2176-97aの方法で、図3(「例2」)の様式で絶縁性フィルムを取り付けた10個の電極リード線及び図2(「比較例2」)の様式で絶縁性フィルムを取り付けた10個の電極リード線に対して行った。これらの実験は、各電極リード線を回転機械に取り付け、400ｇの張力を電極リード線に作用させ、回転機械の直角運動を左(-90度)から右(＋90度)に175 rpmで繰り返し、次いで電極リード線の破損が起こるまでの曲げサイクル数を測定する条件で行った。結果を下記の表2に示す。
【００４７】
＜表2＞

曲げサイクルの    曲げサイクルの    曲げサイクルの  
最少数            最大数            平均数          
例２                １８              ２３              １９．５    
比較例２            １１              １４              １２．３    
【００４８】
上記の表2から分かるように、例2の電極リード線における曲げサイクルの平均数は19.5であるのに対し、比較例2の電極リード線における曲げサイクルの平均数は12.3である。即ち、例2の電極リード線の破損までの曲げサイクルは、比較例2のそれより7.2高かった。例2の電極リード線では、絶縁性フィルムが、重なり合っている部分を除いて、電極リード線の一方の主要表面に取り付けてある、従って、例2の電極リード線は、比較例2の電極リード線より容易に曲げられた。比較例2の電極リード線は、絶縁性フィルムを取り付けた部分では曲げが困難であるために、実質的に他の部分で曲げられた。このことから、比較例2の電極リード線の曲げ安定性は、曲げ部分が一方の主要表面に取り付けた絶縁性フィルムにより支持されている例2の電極リード線の曲げ安定性より劣っていた。
【産業上の利用可能性】
【００４９】
上記の説明から明らかなように、本発明の二次バッテリーには、外部の力、例えば小さな振動及び落下、が二次バッテリーに加えられた時に、電極アセンブリーの移動による電極リード線の破断を阻止することができ、好ましくは、PCMを二次バッテリーに取り付けられるように電極リード線を容易に曲げることができるという効果がある。
【００５０】
本発明の好ましい実施態様を例示のために開示したが、当業者には明らかなように、請求項に記載する本発明の範囲及び精神から離れることなく、様々な修正、追加及び置き換えが可能である。
【図面の簡単な説明】
【００５１】
【図１】図1は、従来の小袋形二次バッテリーの一般的な構造を示す分解組立図である。
【図２】図2は、図1に示す二次バッテリーのバッテリーケースの上側末端を例示する断面拡大図であり、そこでは、カソードタップが互いに集中する状態で連結され、二次バッテリーを組み立てた後、カソードリード線に接続されている。
【図３】図3は、本発明の好ましい実施態様による二次バッテリーの、バッテリーケースの上側密封部分を示す、部分的に拡大した垂直立面図である。
【図４】図４は、図3の二次バッテリーを構成する、電極リード線に取り付けた絶縁性フィルムを有する電極リード線を示す典型的な図である。
【図５】図5は、図4の電極リード線を変形した、電極リード線に取り付けた絶縁性フィルムを有する電極リード線を示す典型的な図である。
【図６】図6は、図3に示す二次バッテリーのバッテリーケースの、保護回路モジュール(PCM)を二次バッテリーに取り付けた状態にある、上側密封部分を示す垂直断面図である。
【図７】図7は、図3に示す二次バッテリーのバッテリーケースの、保護回路モジュール(PCM)を二次バッテリーに取り付けた状態にある、上側密封部分を示す垂直断面図である。
【図１】
2009545850.tif 000003
【図２】
2009545850.tif 000004
【図３】
2009545850.tif 000005
【図４】
2009545850.tif 000006
【図５】
2009545850.tif 000007
【図６】
2009545850.tif 000008
【図７】
2009545850.tif 000009
【国際調査報告】
2009545850.tif 000010
2009545850.tif 000011